(57)【特許請求の範囲】
【請求項１】
上端開口部を形成する口筒片（３）を上端に設けた有底筒状の容器本体（１）と、
前記口筒片（３）に外装嵌合する外嵌筒片（９）を、蓋板部（８）の周端に垂下設し、前記外嵌筒片（９）の前記口筒片（３）への嵌合により、前記容器本体（１）を封かんする薄皿状の蓋体（７）と、を有し、
前記容器本体（１）と前記蓋体（７）の間に、両者の封かん状態を係止保持する第１係止部（Ｋ１）と第２係止部（Ｋ２）とを、周方向に位置をずらして設け、
前記第１係止部（Ｋ１）の係止力は、前記第２係止部（Ｋ２）の係止力よりも強く設定され、
前記蓋体（７）に設けられて、破断除去の可能な除去壁片（１３）に、前記第１係止部（Ｋ１）が形成され、
前記容器本体（１）の前記口筒片（３）の外周面に外鍔片（４）を周設し、
該外鍔片（４）を介して起立状に設けた係止筒片（５）の外周面に係止突片（６）を設け、
前記蓋体（７）の前記外嵌筒片（９）に外フランジ（１０）を介して、前記係止筒片（５）に外嵌する垂下壁片（１１）を設け、
該垂下壁片（１１）の前記外フランジ（１０）との連設部分にスリット（１７）を設けると共に、両端部に弱化部（１４）を設けた前記垂下壁片（１１）部分を前記除去壁片（１３）とし、
前記除去壁片（１３）の内周面に、前記係止突片（６）と係止する係止大片（１６）を設けて前記第１係止部（Ｋ１）を構成し、
前記除去壁片（１３）以外の前記垂下壁片（１１）部分の内周面に、前記係止突片（６）と係止する係止小片（１２）を設けて前記第２係止部（Ｋ２）を構成した
ことを特徴とする封かん容器。
【請求項２】
複数設けた前記第１係止部（Ｋ１）を、周方向に沿って等間隔に配置した請求項１に記載の封かん容器。
【請求項３】
複数設けた前記第２係止部（Ｋ２）を、周方向に沿って等間隔に配置した請求項１または２に記載の封かん容器。
【請求項４】
前記蓋体（７）の前記第２係止部（Ｋ２）が位置する前記垂下壁片（１１）部分の外周面の、前記第２係止部（Ｋ２）よりも上位となる位置に、側方に突出する指掛けフランジ（１０ａ）を設けた請求項１〜３の何れか１項に記載の封かん容器。
【請求項５】
前記除去壁片（１３）の周方向に沿った一方の端部の外表面に、細かい多数の縦溝で構成されるすべり止め（１５）を設けた請求項４に記載の封かん容器。
【請求項６】
前記蓋体（７）の前記第２係止部（Ｋ２）が位置する前記垂下壁片（１１）部分の外周面の下端部に、側方に突出する指掛けフランジ（１０ａ）を設けた請求項１〜３の何れか１項に記載の封かん容器。
【発明の詳細な説明】
【技術分野】
【０００１】
本発明は、高い封かん強度を維持し、開封時に操作が容易であることに加え、蓋体が不正に開封されたことが一目でわかるような構造にした封かん容器に関するものである。
【背景技術】
【０００２】
ヨーグルトやバター、ジャム等の食品を収容するのに適した広口な封かん容器において、流通過程、特に店頭に並べられた状態で、容器内の圧力（乳等省令に基づく）により容器の蓋が不要に開封することがないように、または不正に開封され不正行為がなされないように、容器の封かんを強固に達成維持すると共に、最初に開封しようとして蓋を開ける時には容器の一部が破断されて、開封されたことが一目で分かるようにして、容器の不正な開封を防止できるようにした封かん容器の従来技術として、実用新案登録第３０２２５８３号がある。
【０００３】
この従来技術に示された技術は、上面に開口部を有する容器本体と、この容器本体に嵌合可能な蓋体とからなる合成樹脂製の封かん容器において、開封する際には摘み片を持ち上げ、蓋体の突片と容器本体の溝部との嵌合状態を解除しつつ、蓋体を容器本体から離脱させるものであり、蓋体を容器本体に嵌合した際に、この容器本体の外周上端部の上面と蓋体の上面とが略同面となるように形成され、且つ嵌合状態を解除して蓋体を容器本体から取り外すための摘み片が、蓋体の外周縁の少なくとも１カ所から垂下して構成したものとなっている。
【先行技術文献】
【特許文献】
【０００４】
【特許文献１】実用新案登録第３０２２５８３号公報
【発明の概要】
【発明が解決しようとする課題】
【０００５】
しかしながら、この従来技術にあっては、容器本体の開封に際しては、容器本体からの構成部分の切り取り摘み片を持ち上げながらの、蓋体と容器本体の嵌合の解除等が要求され、開封時の操作が面倒であると共に、構成が複雑であるという問題があった。また、蓋体による容器本体の密閉は、容器本体の開口部上端面に形成された溝部に蓋体の突片を密嵌入させて達成されており、この溝部に対する突片の抜け出しは、摘み片に対する指先での引き上げにより行うのであるが、摘み片に対する指先を引っ掛けての引き上げに十分な力を作用させ難く、摘み片による蓋体の開封操作が行い難い、と云う問題があった。
【０００６】
また、この従来技術に開示された不正開封防止機能は、容器本体の開口部外周面に突出状に設けられた摘み片に、この摘み片を外側から離脱不能に覆う切取片を、容器本体に破断可能に一体設して構成されているため、この不正開封防止機能部分が、商品としての容器の側方に突出することになり、この不正開封防止機能部分が取扱い時に他の物品に引っ掛かるとか、この引っ掛かりにより、不正開封の有無を識別するための切取片が不要に破断離別して無くなる恐れがある、と云う問題があった。さらに、不正開封の有無の判断は、切取片の有無の確認、もしくは切取片の連結状態の確認が必要となるが、これらの確認は、切取片の有無が容器の外観体裁を大きく変化させることがないので、一瞥しただけで達成できるとは限らず、このため不正開封の有無の確認には、切取片の有無およびその状態を意識して観察する必要がある、と云う問題があった。
【０００７】
そこで、本発明は、上記した従来技術における問題点を解消すべく創案されたもので、安定した封かん状態を維持すると共に、不正開封防止作用を安定的に達成できるようにすることを技術的課題とし、もって安定して安全な容器の状態を維持することを目的とするものである。
【課題を解決するための手段】
【０００８】
上記課題を解決する本発明の手段の主たる構成は、
上端開口部を形成する口筒片を上端に設けた有底筒状の容器本体と、前記口筒片に外装嵌合する外嵌筒片を、蓋板部の周端に垂下設し、前記外嵌筒片の前記口筒片への嵌合により、前記容器本体を封かんする薄皿状の蓋体と、を有し、
前記容器本体と前記蓋体の間に、両者の封かん状態を係止保持する第１係止部と第２係止部とを、周方向に位置をずらして設け、
前記第１係止部の係止力は、前記第２係止部の係止力よりも強く設定され、
前記蓋体に設けられて、破断除去の可能な除去壁片に、前記第１係止部が形成され、
前記容器本体の前記口筒片の外周面に外鍔片を周設し、
該外鍔片を介して起立状に設けた係止筒片の外周面に係止突片を設け、
前記蓋体の前記外嵌筒片に外フランジを介して、前記係止筒片に外嵌する垂下壁片を設け、
該垂下壁片の前記外フランジとの連設部分にスリットを設けると共に、両端部に弱化部を設けた前記垂下壁片部分を前記除去壁片とし、
前記除去壁片の内周面に、前記係止突片と係止する係止大片を設けて前記第１係止部を構成し、
前記除去壁片以外の前記垂下壁片部分の内周面に、前記係止突片と係止する係止小片を設けて前記第２係止部を構成したこと、にある。
【０００９】
主にヨーグルトやバター、ジャム等の食品である内容物を収容した容器本体の口筒片に蓋体を組付けることにより、容器本体は密閉され、蓋体を口筒片から離脱させることにより、容器本体は開封される。未開封状態の容器は、第１係止部と第２係止部の係止作用により、その閉状態が強固に安定して維持されている。この未開封状態から、第１係止部および第２係止部の係止を解除し、蓋体を容器本体から離脱させて容器を開放状態とする。
【００１０】
また、容器を一旦開封すると、蓋体に設けられた除去壁片は破断除去もしくは不安定につながった結合状態に変化するが、この除去壁片の状態変化は、容器の外観体裁に大きな差異を与えることになるので、この差異に気が付くことにより、容器の不正開封の有無を知ることができる。また、蓋体の垂下壁片の一部に、第１係止部を構成する除去壁片を形成したものにあっては、破断除去が容易な除去壁片の構成および形成が簡単であり、また除去壁片は、人目に付き易い容器の上端部外周面に位置する垂下壁片の一部であるので、その有無もしくは結合状態変化を一瞥して判別することができる。
【００１１】
本発明の別の構成は、上記した主たる構成に、複数設けた第１係止部を、周方向に沿って等間隔に配置したことを加えたもの、および複数設けた第２係止部を、周方向に沿って等間隔に配置したことを加えたものである。
【００１２】
複数の第１係止部および第２係止部を、周方向に沿って等間隔に配置したものにあっては、容器本体と蓋体の間に作用する封かん力としての係止力を、軸周りに均等に作用させることができるようになる。
【００１３】
また、本発明の別の構成は、上記した主たる構成に、蓋体の第２係止部が位置する垂下壁片部分の外周面の、第２係止部よりも上位となる位置に、側方に突出する指掛けフランジを設けた、ことを加えたものである。
【００１４】
第２係止部よりも上位に指掛けフランジを設けたものにあっては、指掛けフランジに作用した引き上げ力は、係止突片に対して係止小片を、真上ではなく斜め上外方に引き上げるように作用することになり、これにより第２係止部の係止解除操作が容易に達成することができる。
【００１５】
また、本発明の別の構成は、上記した主たる構成に、垂下壁片部分の第１係止部よりも上位の外周面に指掛けフランジを設けることを加えた構成に、除去壁片の周方向に沿った一方の端部の外表面に、細かい多数の縦溝で構成されるすべり止めを設けた、ことを加えたものである。
【００１６】
除去壁片にすべり止めを設けたものにあっては、除去壁片の破断除去に際して、このすべり止めに指先を押し当てて、弱化部を破断する方向に押すことにより、弱化部に引張り力を作用させて、この弱化部を容易に破断することができる。
【００１７】
また、本発明の別の構成は、上記した主たる構成に、蓋体の第２係止部が位置する垂下壁片部分の外周面下端部に、側方に突出する指掛けフランジを設けた、ことを加えたものである。
【００１８】
第２係止部が位置する垂下壁片部分の外周面下端部に指掛けフランジを設けたものにあっては、指掛けフランジに作用させた引き上げ力は、垂下壁片部分を外側方に撓み変形させ、この垂下壁片部分の外方への撓み変位により、除去壁片の弱化部に破断力が作用して、弱化部を破断する。
【発明の効果】
【００１９】
本発明は、上記した構成となっているので、以下に示す効果を奏する。
本発明の封かん容器の主たる構成においては、第１係止部と第２係止部により容器の封かん状態を強固に安定して維持して安全性を確保することができ、また容器を開封する際に破断除去される除去壁片は、その有無もしくは結合状態が容器の外観体裁に大きな差異を与えて、容器の不正開封の有無を知ることができるので、容器の不正開放防止に有効に機能することができる。また、蓋体の垂下壁片の一部に、第１係止部を構成する除去壁片を形成することで、破断除去が容易な除去壁片の構成および形成が簡単であり、また除去壁片は、人目に付き易い容器の上端部外周面に位置する垂下壁片の一部であるので、その有無もしくは結合状態は一瞥して判別することができるので、第１係止部および第２係止部の構造を簡単なものとすることができ、かつ不正開封の有無の判断を的確にかつ速やかに行うことができる。
【００２０】
複数の第１係止部および第２係止部を、周方向に沿って等間隔に配置したものにあっては、容器本体と蓋体の間に作用する封かん力としての係止力を、軸周りに均等に作用させることができるようになるので、蓋体による容器本体の封かん状態を安定して強固にすることができる。
【００２１】
指掛けフランジを第２係止部の上位に設けたものにあっては、指掛けフランジに作用した引き上げ力は、係止突片に対して係止小片を、真上ではなく斜め上外方に引き上げるように作用することになり、これにより第２係止部の係止解除操作が容易に達成することができるので、蓋体の開封操作が容易である。
【００２２】
除去壁片にすべり止めを設けたものにあっては、除去壁片の破断除去に際して、弱化部を容易に破断することができるので、除去壁片の除去作業が容易となる。
【００２３】
第２係止部が位置する垂下壁片部分の外周面下端部に指掛けフランジを設けたものにあっては、指掛けフランジに作用させた引き上げ力により、弱化部を破断して第１係止部の係止作用を消滅させることができるので、蓋体の開封操作が容易である。
【図面の簡単な説明】
【００２４】
【図１】本発明の第一実施形態例を示すもので、（ａ）は封かん容器の全体平面図、（ｂ）は封かん容器の半縦断正面図、（ｃ）は要部拡大全体平面図である。
【図２】図１に示した第一実施形態例を示すもので、（ａ）は図１（ａ）と同じ封かん容の全体平面図、（ｂ）は封かん容器の半縦断側面図である。
【図３】第一実施形態例に示す封かん容器の係止部の拡大縦断面図であり、（ａ）は第１係止部、（ｂ）は第２係止部である。
【図４】第一実施形態例に示す封かん容器において除去壁片の除去状態を示すもので、（ａ）は半縦断した封かん容器の正面図、（ｂ）は第１係止部の拡大側面図である。
【図５】本発明の第二実施形態例を示すもので、（ａ）は封かん容器の全体平面図、（ｂ）は封かん容器の半縦断正面図である。
【図６】第二実施形態例に示す封かん容器の係止部の拡大縦断面図である。
【図７】除去壁片の除去状態を示す封かん容器の半縦断図である。
【発明を実施するための形態】
【００２５】
以下、本発明の実施形態例を、図面を参照しながら説明する。
なお、以下の実施形態例の説明では、図１に示すように、容器本体１に対して蓋体７が組付いた側を上方とし、容器本体１側を下方、一対の指掛けフランジ１０ａが設けられている側を両側方、一対の除去壁片１３が設けられている側を前方および後方とする。
【００２６】
本発明における容器は、ヨーグルト、バター、ジャム等の主に食品内容物を収容する用途を目的とするもので、図１乃至図４に示すように内容物を収容する主体部分である容器本体１と、この容器本体１に着脱して開閉する蓋体７とから構成されている。
【００２７】
容器本体１は、上方にやや拡径した有底円筒形状をし、上端部を口筒片３とし、この口筒片３で上端開口部を形成する本体部２を有し、口筒片３の外周面の下端部に、突出周設した外鍔片４を介して係止筒片５（図３参照）を起立状に設けて構成されている。それゆえ、容器本体１の口筒片３と係止筒片５との間には、上方に開放した周溝５ａ（図３参照）が形成されることになる。そして、この係止筒片５の外周面には係止突片６（図３参照）が突周設されている。
【００２８】
蓋体７は、主体部分である薄皿状をした蓋板部８の周端縁から、容器本体１の口筒片３に外嵌する、すなわち口筒片３と係止筒片５の間の周溝５ａに嵌入する外嵌筒片９（図３参照）を連設し、この外嵌筒片９に、係止筒片５上に載置する外フランジ１０を介して係止筒片５に外嵌する垂下壁片１１（図３参照）を設けて構成されている。垂下壁片１１は、容器本体１に蓋体７が組み合わさって容器を構成した状態、すなわち製品となった状態で、この製品の上端に鉢巻状に位置して、目立つ部分を形成することになる。前方および後方の部分は、外フランジ１０との連設部分にスリット１７（図３（ａ）参照）を設けると共に、両端部に肉薄な弱化部１４（図１（ｃ）参照）を設けて除去壁片１３とし、この除去壁片１３の内周面には、係止突片６と組み合わさって、第１係止部Ｋ１（図３（ａ）参照）を構成する係止大片１６が設けられている。また、後述する指掛けフランジ１０ａに設けられている垂下壁片１１の両側部分の内周面には、係止突片６と組み合わさって、第２係止部Ｋ２（図３（ｂ）参照）を構成する係止小片１２が設けられている。
【００２９】
係止小片１２は、その突出高さが小さいので、第２係止部Ｋ２が発揮する係止力は係止大片１６よりも弱く、その強さは、蓋体７に対する指先による開封操作により、比較的容易に係止突片６との係止が解除される程度であり、係止大片１６は、その突出高さが係止突片６と同じ程度と大きいので、第１係止部Ｋ１が発揮する係止力は係止小片１２よりも強く設定している。
【００３０】
容器を開封可能状態にするには、除去壁片１３を除去（後述するすべり止め１５に指先を押し当てて除去）することにより、係止大片１６の係止突片６に対する係止組付きを無くして、第１係止部Ｋ１の係止力を消滅させた状態で、蓋体７に対する引き上げ力を作用させて、容器本体１から蓋体７を強引に引き上げて、取り外すことにより達成される。なお、容器本体１に対する蓋体７の繰り返しの着脱は可能である。
【００３１】
一対の第１係止部Ｋ１を、容器の前方及び後方に配置し、一対の第２係止部Ｋ２を、容器の両側方に配置し、各係止部を周方向に沿って等間隔、すなわち中心軸芯に対して等中心角に配置することにより、各係止部が発揮する係止力が、容器本体１と蓋体７の間に、周方向に沿って均等に作用するようにしている。この第１係止部Ｋ１および第２係止部Ｋ２の数は特定されるものではなく、周方向に沿って等間隔に配置されればよいのであるが、容器の全体構造および操作の簡単化の観点から、両側方に一対ずつとするのが有利である。
【００３２】
除去壁片１３ではない垂下壁片１１部分、すなわち両側方に位置した垂下壁片１１部分には、側方に突出した指掛けフランジ１０ａが設けられているが、指掛けフランジ１０ａを第２係止部Ｋ２よりも上位に位置させているので、すべり止め１５に指先を押し当てて、弱化部１４を破断する方向に弱化部１４に引っ張り力を作用させて破断して除去壁片１３を除去させる。これにより第１係止部Ｋ１の係止力を消滅させる。この状態で指掛けフランジ１０ａに引き上げ力を作用させて、第２係止部Ｋ２の係止を解除させて、容器の開封を達成する。
【００３３】
次に、本発明の第二実施形態例について説明する。これらの説明において、第１実施形態例と同じ構成については解説を省略する。
図５乃至図７は、第二実施形態例に係る容器を示している。この実施形態例では、除去壁片１３ではない垂下壁片１１部分に設けた指掛けフランジ１０ａが垂下壁片１１部分の外面下端部に位置（図６参照）しており、指掛けフランジ１０ａに作用させた引き上げ力が、垂下壁片１１部分を外方に撓み変位させ、この撓み変位が弱化部１４に対して引張り力を作用させて、弱化部１４を破断して除去壁片１３を変位自在（図７参照）とする。これにより第１係止部Ｋ１の係止力が消滅するので、指掛けフランジ１０ａに対する引き上げ力を引き続き作用させることにより、第２係止部Ｋ２の係止力に打ち勝って、容器の開封を達成する。第二実施形態例の場合、指掛けフランジ１０ａを引き上げた際、一部の弱化部１４が破断し、除去壁片１３は、不安定に結合した状態（図７参照）となり、係止突条６が露出するだけではなく、鉢巻状の垂下壁片１１の一部が無くなった状態、或いは鉢巻状形状が崩れる（変位した状態）ことになり、これにより除去壁片１３の除去がきわめて目立つ状態となる。それゆえ、この除去壁片１３の除去による容器の外観体裁の大きな変化が一瞥で認識することができ、目的とする製品が既に開封されたものであるか否かの判断を速やかにかつ的確に下して、高い不正防止効果を発揮することができる。
また、不安定に結合した除去壁片１３を安定させるため、除去壁片１３と蓋体７側の部分との間に連結片（図示しない）を設けてもよい。
【００３４】
以上、実施形態例に沿って本発明の構成とその作用効果について説明したが、本発明の実施の形態は上記実施形態例に限定されるものではない。例えば、容器の全体形状は、円筒に特定されることなく、例えば角取りした角筒状としても良く、また係止突片６、係止小片１２そして係止大片１６は、横幅の小さい突片状に成形して、各突片を精度よく対向させるようにしても良い。
【産業上の利用可能性】
【００３５】
本発明の封かん容器は、第１係止部の強力な係止力により、容器の安定した封かん状態を強固に維持でき、また第１係止部の係止力を消滅させる除去壁片の除去もしくは変位により、容器の外観体裁がきわめて大きく変化して、その外観体裁の変化が一目で認識させられるので、高い不正開封防止効果を得ることができ、封かん容器として広い分野での適用を可能とすることができる。
【符号の説明】
【００３６】
１    ；容器本体
２    ；本体部
３    ；口筒片
４    ；外鍔片
５    ；係止筒片
５ａ  ；  周溝
６    ；係止突片
７    ；蓋体
８    ；蓋板部
９    ；外嵌筒片
１０  ；外フランジ
１０ａ；指掛けフランジ
１１  ；垂下壁片
１２  ；係止小片
１３  ；除去壁片
１４  ；弱化部
１５  ；すべり止め
１６  ；係止大片
１７  ；スリット
Ｋ１  ；第１係止部
Ｋ２  ；第２係止部
【図１】
0006497949.tif 000002
【図２】
0006497949.tif 000003
【図３】
0006497949.tif 000004
【図４】
0006497949.tif 000005
【図５】
0006497949.tif 000006
【図６】
0006497949.tif 000007
【図７】
0006497949.tif 000008